(57)【要約】【課題】両面テープを用いることなくセンサホルダを仮止めする。【解決手段】センサユニットであって、センサが固定されたセンサホルダと、センサに接続されたフレキシブル基板と、センサホルダが固定される固定部と、センサホルダおよび固定部の一方に配され、センサホルダが固定部に固定される前にセンサホルダを固定部に仮固定し、センサホルダが固定部に固定された後にはセンサホルダおよび固定部の仮固定が解除されている仮固定部とを備える。【選択図】図８
2014077954.tif 000002
【特許請求の範囲】
【請求項１】
センサが固定されたセンサホルダと、
前記センサに接続されたフレキシブル基板と、
前記センサホルダが固定される固定部と、
前記センサホルダおよび前記固定部の一方に配され、前記センサホルダが前記固定部に固定される前に前記センサホルダを前記固定部に仮固定し、前記センサホルダが前記固定部に固定された後には前記センサホルダおよび前記固定部の仮固定が解除されている仮固定部と
を備えるセンサユニット。
【請求項２】
前記センサは光電変換素子を含み、前記仮固定部は、前記光電変換素子に対する入射光の光路を包囲する筒部に設けられる請求項１に記載のセンサユニット。
【請求項３】
前記センサホルダおよび前記固定部の他方に、他の筒部が配され、
前記仮固定部は、前記他の筒部に当接する３以上の当接部を含む請求項２に記載のセンサユニット。
【請求項４】
前記３以上の当接部のひとつは、前記フレキシブル基板が前記センサから延在する方向に対して、前記センサに関して反対側に配される請求項３に記載のセンサユニット。
【請求項５】
前記仮固定部は、前記固定部における外面に配され、前記センサホルダにおいて前記固定部に対向する面の一部に当接する当接部を含む請求項１に記載のセンサユニット。
【請求項６】
前記仮固定部は、前記固定部に固定されることにより前記固定部の一部をなす蓋部に設けられる請求項１から請求項５までのいずれか一項に記載のセンサユニット。
【請求項７】
請求項１から請求項６までのいずれか一項に記載のセンサユニットを備えた電子機器。
【請求項８】
フレキシブル基板に接続されたセンサが固定されたセンサホルダを準備する準備工程と、
前記センサホルダを固定部に仮固定する仮固定工程と、
保持機構により、仮固定された前記センサホルダを吸着しつつ前記固定部の仮固定を解除する吸着工程と、
前記保持機構が前記センサホルダを前記固定部に対して位置決めした状態で、前記センサホルダを前記固定部に対して固定する固定工程と、
前記保持機構の吸着を解除する解除工程と
を備えるセンサユニット製造方法。
【請求項９】
前記仮固定工程は、前記センサホルダの一部と前記固定部の一部とを当接させることにより前記センサホルダを前記固定部に仮固定する工程を含む請求項８に記載のセンサユニット製造方法。
【請求項１０】
前記吸着工程は、前記保持機構が前記センサホルダを保持する動作により、前記センサホルダを前記固定部の仮固定から解除する工程を含む請求項９に記載のセンサユニット製造方法。
【請求項１１】
前記吸着工程において、前記センサホルダに作用する吸着力の方向は、前記センサホルダを前記固定部の仮固定から解除する場合に前記センサホルダに作用させる力の方向と直交する請求項８から請求項１０までのいずれか一項に記載のセンサユニット製造方法。
【請求項１２】
前記仮固定工程は、前記フレキシブル基板が前記センサから延在する方向に対して前記センサに関して反対側において、前記センサホルダの一部と前記固定部の一部とを当接させることにより前記センサホルダを前記固定部に仮固定する工程を含む請求項８から請求項１１までのいずれか一項に記載のセンサユニット製造方法。
【発明の詳細な説明】
【技術分野】
【０００１】
本発明は、センサユニット、電子機器およびセンサユニット製造方法に関する。
【背景技術】
【０００２】
電子機器において、部品に結合されたフレキシブル基板を両面テープで仮止めした後に固定する技術がある（特許文献１参照）。
［先行技術文献］
［特許文献］
［特許文献１］特開平０５−０５４４１８号公報
【発明の概要】
【発明が解決しようとする課題】
【０００３】
仮止めされた部品を位置決めしてから固定する場合に、両面テープに粘着力が残っていると当該部品を後から正確に位置決めすることができないという課題がある。
【課題を解決するための手段】
【０００４】
本発明の第一態様によると、センサが固定されたセンサホルダと、センサに接続されたフレキシブル基板と、センサホルダが固定される固定部と、センサホルダおよび固定部の一方に配され、センサホルダが固定部に固定される前にセンサホルダを固定部に仮固定し、センサホルダが固定部に固定された後にはセンサホルダおよび固定部の仮固定が解除されている仮固定部とを備えるセンサユニットが提供される。
【０００５】
本発明の第二態様によると、上記センサユニットを備えた電子機器が提供される。
【０００６】
本発明の第三態様によると、フレキシブル基板に接続されたセンサが固定されたセンサホルダを準備する準備工程と、センサホルダを固定部に仮固定する仮固定工程と、保持機構により、仮固定されたセンサホルダを吸着しつつ固定部の仮固定を解除する吸着工程と、保持機構がセンサホルダを固定部に対して位置決めした状態で、センサホルダを固定部に対して固定する固定工程と、保持機構の吸着を解除する解除工程とを備えるセンサユニット製造方法が提供される。
【０００７】
上記の発明の概要は、本発明の必要な特徴の全てを列挙したものではない。これら特徴群のサブコンビネーションもまた発明となり得る。
【図面の簡単な説明】
【０００８】
【図１】一眼レフカメラの模式的断面図である。
【図２】ファインダ周辺の斜視図である。
【図３】測光部の断面図である。
【図４】センサホルダを見上げた斜視図である。
【図５】ベゼル周辺を見下ろした斜視図である。
【図６】測光部の断面図である。
【図７】突出部を断面Ｘ−Ｘで切断して見下ろした断面図である。
【図８】突出部およびベゼルを断面Ｘ−Ｘで切断して見下ろした断面図である。
【図９】突出部およびベゼルを断面Ｘ−Ｘで切断して見下ろした断面図である。
【図１０】保持装置によるセンサホルダの吸着過程を示す図である。
【発明を実施するための形態】
【０００９】
以下、発明の実施の形態を通じて本発明を説明するが、下記の実施形態は特許請求の範囲に係る発明を限定するものではない。下記の実施形態で説明されている特徴の組み合わせの全てが発明の解決手段に必須であるとは限らない。
【００１０】
図１は、一眼レフカメラ１００の模式的断面図である。一眼レフカメラ１００は、レンズユニット２００およびカメラボディ３００を含む。
【００１１】
なお、記載を簡潔にする目的で、以下の説明においては、一眼レフカメラ１００において、一眼レフカメラ１００の撮影対象となる物体が位置する側を前側または先端側と記載する。また、一眼レフカメラ１００において、レンズユニット２００に対してカメラボディ３００が配置された側を後側または背面側と記載する。
【００１２】
レンズユニット２００は、固定筒２１０、レンズ群２２０、レンズ群２３０、レンズ群２４０、レンズ側制御部２５０およびレンズ側マウント部２６０を有する。固定筒２１０の後端は、レンズ側マウント部２６０を介してカメラボディ３００のボディ側マウント部３６０に結合される。
【００１３】
レンズ側マウント部２６０およびボディ側マウント部３６０の結合は特定の操作により解除できる。カメラボディ３００は、同じ規格のレンズ側マウント部２６０を有する他のレンズユニット２００を装着して使用することが可能である。
【００１４】
レンズ群２２０は、固定筒２１０に直接支持される。レンズ群２３０およびレンズ群２４０はいずれも、固定筒２１０に対して光軸であるＡ方向に沿って移動可能である。レンズユニット２００は、倍率を変化させたり、焦点を調節させたりすることが可能な光学系である。
【００１５】
たとえば、レンズ群２３０は、レンズユニット２００の倍率を変化させる場合に移動するズームレンズのひとつとなる。レンズ群２４０は、レンズユニット２００の焦点位置を変化させる場合に移動するフォーカシングレンズのひとつとなる。
【００１６】
レンズ側制御部２５０は、レンズユニット２００の動作を制御すると共に、カメラボディ３００との通信を制御する。これにより、レンズユニット２００がカメラボディ３００に装着された場合に、カメラボディ３００と連携して動作することが可能となる。
【００１７】
カメラボディ３００は、レンズユニット２００に対してボディ側マウント部３６０の背後に配されたミラーユニット４００を備える。ミラーユニット４００の下方には合焦光学系３９０が配される。ミラーユニット４００の上方にはフォーカシングスクリーン３４６が配される。
【００１８】
フォーカシングスクリーン３４６の上方にはペンタプリズム３４４が配される。ペンタプリズム３４４の後方にはファインダ光学系３４２が配される。ファインダ光学系３４２の後端は、ファインダ３４０としてカメラボディ３００の背面に露出する。
【００１９】
ミラーユニット４００の後方には、フォーカルプレンシャッタ３８０、光学フィルタ３７２および撮像素子３７０が順次配される。撮像素子３７０の更に背後には、主基板３２０および背面表示部３３０が順次配される。主基板３２０には、ボディ側制御部３２２、画像処理部３２４等が実装される。背面表示部３３０は、例えば液晶表示板等を用いて形成され、カメラボディ３００の背面に露出する。
【００２０】
ミラーユニット４００は、メインミラー４２０およびサブミラー４６０を有する。メインミラー４２０は、メインミラー保持枠４１０に支持される。メインミラー保持枠４１０の一端は、メインミラー回動軸４３０により軸支される。
【００２１】
サブミラー４６０は、サブミラー保持枠４５０により保持される。サブミラー保持枠４５０の一端は、サブミラー回動軸４７０により、メインミラー保持枠４１０から軸支される。よって、サブミラー４６０は、メインミラー保持枠４１０に対して回動する。メインミラー保持枠４１０が回動する場合、サブミラー４６０およびサブミラー保持枠４５０もメインミラー保持枠４１０と共に移動する。
【００２２】
回動によりメインミラー保持枠４１０の前端が降下した場合、メインミラー保持枠４１０は、前端付近で位置決めピン４４０に当接して停止する。これにより、メインミラー４２０は、光軸に対して４５度をなす位置に停止する。こうして、メインミラー４２０は、レンズユニット２００を射出した被写体光束の光路上に斜めに配される斜設状態をとる。
【００２３】
メインミラー保持枠４１０の前端が上昇した場合、メインミラー保持枠４１０は、前端付近でストッパ４８０に当接して停止する。これにより、メインミラー４２０は、被写体光束の光路から退避した退避状態をとる。
【００２４】
斜設状態にあるメインミラー４２０は、レンズユニット２００から射出された被写体光束を反射してフォーカシングスクリーン３４６に導く。フォーカシングスクリーン３４６は、被写体に対して合焦した場合に被写体像を結ぶ位置に配されて当該被写体像を可視化する。
【００２５】
フォーカシングスクリーン３４６に結像された被写体像は、ペンタプリズム３４４およびファインダ光学系３４２を通じてファインダ３４０から観察される。ペンタプリズム３４４を通じて観察することにより、フォーカシングスクリーン３４６上の被写体像は、ファインダ３４０から正立正像として観察される。
【００２６】
ペンタプリズム３４４の後方には、測光部３５０も配される。測光部３５０は、ファインダ光学系３４２の上方に配される。測光部３５０は、測光センサ３５１および測光光学系３５３を有する。測光センサ３５１は、測光光学系３５３を介して、ペンタプリズム３４４から射出された被写体光束の一部を受光する。測光センサ３５１は、受光した被写体光束から被写体の明るさを検出する。ボディ側制御部３２２は、測光センサ３５１が検出した被写体の明るさに基づいて露光条件を算出する。測光センサ３５１は、受光した被写体光束を三原色毎に測光して、オートホワイトバランスの算出に与する。測光センサ３５１は、被写体の顔検出等にも用いられる。
【００２７】
メインミラー４２０は、入射した被写体光束の一部を透過するハーフミラー領域を有する。サブミラー４６０は、ハーフミラー領域から入射した被写体光束を、合焦光学系３９０に向けて反射する。合焦光学系３９０は、入射した被写体光束を合焦センサ３９２に導く。これにより、カメラボディ３００は、レンズユニット２００を合焦させるレンズ群２３０の目標位置を決定できる。
【００２８】
上記のような一眼レフカメラ１００においてレリーズボタンが半押しされると、合焦センサ３９２および測光センサ３５１が有効になり、被写体像を適切な撮影条件で撮影できる状態になる。次いで、レリーズボタンが全押しされると、メインミラー４２０およびサブミラー４６０が退避位置に移動して、フォーカルプレンシャッタ３８０が開く。よって、レンズユニット２００から射出された被写体光束は、光学フィルタ３７２を介して撮像素子３７０に入射する。
【００２９】
撮像素子３７０は、ＣＣＤセンサ、ＣＭＯＳセンサなどの光電変換素子により形成され、受光した被写体像を電気信号に変換して出力する。撮像素子３７０から出力された電気信号は、画像処理部３２４において画像データに変換される。画像処理部３２４は、画像データを生成する過程で、ホワイトバランス、シャープネス、ガンマ、階調補正、圧縮等の処理を施す。
【００３０】
図２は、カメラボディ３００内部における測光部３５０周辺の構造を示す斜視図である。図１の要素と共通の要素には同じ参照番号を付して重複する説明を省く。
【００３１】
メインケース３４１は、ファインダ光学系３４２を収容する。サブケース３４３は、測光光学系３５３を収容する。サブケース３４３は、メインケース３４１と一体的に形成される。
【００３２】
サブケース３４３の上には、測光センサ３５１を保持したセンサホルダ３５２が搭載される。センサホルダ３５２は、固定爪３５９を有する。当該固定爪３５９をサブケース３４３の側面に接着することによりサブケース３４３に対して固定される。
【００３３】
センサホルダ３５２の上面には、フレキシブル基板３５４の一端の面領域３６４が結合される。フレキシブル基板３５４は、上記面領域３６４と、当該面領域３６４から図中手前側でセンサホルダ３５２の前方に延在し、下方に折り返した幅狭領域３６２と、当該幅狭領域３６２からメインケース３４１の上面に沿って再び後方に延在する本体部分とを有する。
【００３４】
フレキシブル基板３５４の本体部分は、メインケース３４１の側面に沿って図中下方にさらに延在する。これにより、センサホルダ３５２に保持された測光センサ３５１は、フレキシブル基板３５４の本体部分、幅狭領域３６２および面領域３６４に設けられた配線を通じてカメラボディ３００の各部に電気的に結合される。
【００３５】
フレキシブル基板３５４は、センサホルダ３５２の図中後側に延在する拡張領域３５５、および、当該拡張領域３５５から前方に延在して面領域３６４に連結する幅狭領域３６６を有する。拡張領域３５５および幅狭領域３６６に配線は形成されない。幅狭領域３６６は、センサホルダ３５２の、幅狭領域３６２とは反対側を概ね対称に引き回されている。
【００３６】
拡張領域３５５は、サブケース３４３の背後に配された抑え爪３４９により、メインケース３４１上面からの跳ね上がりを規制されている。これにより、フレキシブル基板３５４の下端がメインケース３４１の側面に沿って折り曲げられた場合に、フレキシブル基板３５４がメインケース３４１の表面から浮き上がることが防止される。
【００３７】
拡張領域３５５および幅狭領域３６６は、フレキシブル基板３５４の本体部分と同じ材料で一体的に形成されている。幅狭領域３６２および幅狭領域３６６がともに弾性を有し、対称形に配されることにより、フレキシブル基板３５４を折り曲げた場合にセンサホルダ３５２に作用する力をバランスさせて、センサホルダ３５２の機械的な安定性を向上させる。
【００３８】
図３は、測光部３５０が組み上げられた状態の断面図であり、測光光学系３５３の光軸Ｑを含む断面を示す。図１および図２の要素と共通の要素には同じ参照番号を付して重複する説明を省く。
【００３９】
測光部３５０において、サブケース３４３に収容された測光光学系３５３は、複数の光学部品３５７を含む。光学部品３５７には、プリズム、レンズ等の他、赤外線フィルタ、紫外線フィルタ、ローパスフィルタ等の光学フィルタも含まれる。これにより、測光センサ３５１は、可視光帯域の入射光を効率よく検出できる。
【００４０】
サブケース３４３の上面および前面は、蓋部３４８により封止される。換言すれば、サブケース３４３の上面および前面は、蓋部３４８に封止されるまで開放されている。これにより、サブケース３４３には、測光光学系３５３の光軸Ｑを横切って光学部品３５７を組み込むことができる。
【００４１】
蓋部３４８の上面には、測光センサ３５１への入射光の光路を包囲するベゼル３４５が一体的に形成される。ベゼル３４５の内面には、ベゼル３４５の内側に向かって突出する仮固定突起３４７が配される。
【００４２】
蓋部３４８の上方には、測光センサ３５１を保持したセンサホルダ３５２が配される。センサホルダ３５２は、測光光学系３５３の射出光に測光センサ３５１を位置合わせした上で、固定爪３５９をサブケース３４３の側面に接着して固定されている。突出部３７４を含むセンサホルダ３５２の下面は、サブケース３４３の蓋部３４８上面から離間している。
【００４３】
ただし、突出部３７４の下端は、蓋部３４８のベゼル３４５上端よりも下方に入り込んでいる。これにより、突出部３７４およびベゼル３４５は、測光センサ３５１に対する入射光の光路を包囲する。突出部３７４と仮固定突起３４７とは図３の上下方向について互いに離間している。
【００４４】
図４は、サブケース３４３に固定する前のセンサホルダ３５２を下方から見上げた斜視図である。図１から図３の要素と共通の要素には同じ参照番号を付して重複する説明を省く。
【００４５】
センサホルダ３５２の下面からは、略円筒状の突出部３７４が図中下方に突出する。突出部３７４の外周面は、センサホルダ３５２の下面から垂直に立ち上がった仮固定面３５６をなす。仮固定面３５６は、仮固定領域３５６ａ、仮固定領域３５６ｂおよび仮固定領域３５６ｃを有する。仮固定面３５６はさらに、仮固定領域３５６ｃと仮固定領域３５６ａとを連結する段差領域３５８ａ、仮固定領域３５６ａと仮固定領域３５６ｂとを連結する段差領域３５８ｂ、および、仮固定領域３５６ｂと仮固定領域３５６ｃとを連結する段差領域３５８ｃを有する。突出部３７４の内周面は、センサホルダ３５２の下面から垂直に立ち上がった環状面３７３をなす。センサホルダ３５２の下面における環状面３７３に囲まれた領域には開口が形成され、測光センサ３５１の受光部が露出する。
【００４６】
センサホルダ３５２の側端部からは、４本の固定爪３５９が図中下方に向かって延在する。固定爪３５９は、サブケース３４３の取付面３６７に対向する。
【００４７】
センサホルダ３５２をサブケース３４３に固定する場合には、測光センサ３５１の位置が測光光学系３５３の光軸に一致するようにセンサホルダ３５２を位置合わせした後、固定爪３５９をサブケース３４３の取付面３６７に接着する。このような位置合わせ作業および固定作業は、センサホルダ３５２を保持して移動させる保持装置を用いて自動化することが望ましい。
【００４８】
一方、サブケース３４３に固定する直前のセンサホルダ３５２には、フレキシブル基板３５４の面領域３６４が既に結合されている。フレキシブル基板３５４の本体部分は、センサホルダ３５２をサブケース３４３に対して固定する前に、メインケース３４１側の回路に結合される。よって、センサホルダ３５２をサブケース３４３に固定する段階においては、フレキシブル基板３５４の弾性が、センサホルダ３５２に作用している。
【００４９】
このため、固定する前のセンサホルダ３５２を自由に放置した場合、フレキシブル基板３５４の弾性によりセンサホルダ３５２はベゼル３４５から離間する。また、フレキシブル基板３５４は、センサホルダ３５２を特定の位置に位置決めするほどの剛性を有していないので、センサホルダ３５２の位置は不定になる。
【００５０】
このような状態で、センサホルダ３５２を自動的に保持する保持装置を利用すると、保持装置がセンサホルダ３５２を保持できない場合がある。また、保持装置がセンサホルダ３５２を保持できた場合でも、保持状態が一定にならないので、その後の位置決め精度が低下する。これに対し本実施形態の測光部３５０においては、センサホルダ３５２側の仮固定面３５６を利用して、フレキシブル基板３５４の弾性に抗して、位置合わせ作業前のセンサホルダ３５２をベゼル３４５に仮固定する。
【００５１】
図５は、センサホルダ３５２を固定する前の蓋部３４８上面を見下ろした様子を示す斜視図である。図１から図４の要素と共通の要素には同じ参照番号を付して重複する説明を省く。
【００５２】
蓋部３４８の上面において、ベゼル３４５の中央底面には開口が設けられる。開口の内部には、測光光学系３５３の終端が露出する。なお、蓋部３４８は、サブケース３４３に対してねじ止めして固定される。
【００５３】
蓋部３４８において、ベゼル３４５の内周面には、内側に向かって突出する仮固定突起３４７ａ、仮固定突起３４７ｂおよび仮固定突起３４７ｃが配される。仮固定突起３４７ａ、仮固定突起３４７ｂおよび仮固定突起３４７ｃは、ベゼル３４５の内周方向に沿って等間隔に配置される。
【００５４】
図６は、図３と同じ断面で見た測光部３５０の断面図である。図６においては、センサホルダ３５２がサブケース３４３に仮固定された状態を示す。図７は、突出部３７４を図６に示した断面Ｘ−Ｘで切断して見下ろした断面図である。なお、図１から図５の要素と共通の要素には同じ参照番号を付して重複する説明を省く。
【００５５】
図７における円Ｓは、仮固定面３５６に外接する仮想の円を示す。図７の仮想中心Ｏは、上記仮想の円Ｓの中心を示す。
【００５６】
仮固定突起３４７が３つ配されることに対応して、仮固定面３５６も周方向に沿って３つの仮固定領域３５６ａ、仮固定領域３５６ｂおよび仮固定領域３５６ｃを有する。仮固定領域３５６ｃと仮固定領域３５６ａとは段差領域３５８ａにより連結される。仮固定領域３５６ａと仮固定領域３５６ｂとは段差領域３５８ｂにより連結される。仮固定領域３５６ｂと仮固定領域３５６ｃとは段差領域３５８ｃにより連結される。段差領域３５８ａ、段差領域３５８ｂおよび段差領域３５８ｃは仮想の円Ｃの周方向に沿って互いに等間隔に配される。
【００５７】
仮固定領域３５６ａに注目すると、仮固定領域３５６ｃとの段差領域３５８ａから仮固定領域３５６ｂとの段差領域３５８ｂへ向かって、仮想中心Ｏから仮固定領域３５６ａまでの距離がＲ１からＲ２へ連続的に大きくなっている。仮固定領域３５６ｂにおいては、仮固定領域３５６ａとの段差領域３５８ｂから仮固定領域３５６ｃとの段差領域３５８ｃへ向かって、仮想中心Ｏから仮固定領域３５６ｂまでの距離がＲ１からＲ２へ連続的に大きくなっている。仮固定領域３５６ｃにおいては、仮固定領域３５６ｂとの段差領域３５８ｃから仮固定領域３５６ａとの段差領域３５８ａへ向かって、仮想中心Ｏから仮固定領域３５６ｃまでの距離がＲ１からＲ２へ連続的に大きくなっている。
【００５８】
段差領域３５８ａ、段差領域３５８ｂおよび段差領域３５８ｃに代えて、仮固定領域３５６ａ、仮固定領域３５６ｂおよび仮固定領域３５６ｃが滑らかに連結されてもよい。
【００５９】
図８は、突出部３７４およびベゼル３４５を図６に示した断面Ｘ−Ｘで切断して見下ろした断面図である。図８において、センサホルダ３５２がベゼル３４５に仮固定されているときの、突出部３７４とベゼル３４５との関係が示されている。
【００６０】
図８において、仮固定突起３４７ａ、仮固定突起３４７ｂおよび仮固定突起３４７ｃの先端に接する仮想の円Ｔが示されている。当該仮想の円Ｔの半径をＲ３とすると、Ｒ１＜Ｒ３＜Ｒ２となるように、Ｒ１およびＲ２が設定される。これにより、仮想の円Ｔと仮固定領域３５６ａ、仮固定領域３５６ｂおよび仮固定領域３５６ｃとの交点がそれぞれ、下記の当接点３７５ａ、当接点３７５ｂおよび当接点３７５ｃをなす。
【００６１】
上記構成において、組み立て作業者が、フレキシブル基板３５４が結合されたセンサホルダ３５２をサブケース３４３に対向させて、仮固定領域３５６ａ、仮固定領域３５６ｂおよび仮固定領域３５６ｃが仮固定突起３４７ａ、仮固定突起３４７ｂおよび仮固定突起３４７ｃに当接していない状態から、センサホルダ３５２を図中矢印Ｆの向きに回転する。これにより、仮固定領域３５６ａは、対向する仮固定突起３４７ａの先端に、当接点３７５ａで当接する。仮固定領域３５６ｂは、対向する仮固定突起３４７ｂの先端に、当接点３７５ｂで当接する。仮固定領域３５６ｃは、対向する仮固定突起３４７ｃの先端に、当接点３７５ｃで当接する。従って、図８に示すように、センサホルダ３５２は、ベゼル３４５に対して仮固定される。
【００６２】
すなわち、センサホルダ３５２は、仮固定突起３４７ａ、仮固定突起３４７ｂおよび仮固定突起３４７ｃにより機械的に３か所で挟み持たれることにより、ベゼル３４５に仮固定される。これにより、センサホルダ３５２がバランスよく仮固定される。ベゼル３４５は蓋部３４８と一体に形成されており、当該蓋部３４８はサブケース３４３に固定されているので、センサホルダ３５２は、上記仮固定によりサブケース３４３に対しても予め定められた位置に仮固定される。サブケース３４３はメインケース３４１と一体的に形成されているので、センサホルダ３５２は、上記仮固定によりメインケース３４１に対して予め定められた位置に仮固定されているともいえる。仮固定は、取り外し可能に係止、仮止め等と称されることもある。
【００６３】
図９は、突出部３７４およびベゼル３４５を図６に示した断面Ｘ−Ｘで切断して見下ろした断面図である。図９において、センサホルダ３５２がベゼル３４５に仮固定されていないときの、突出部３７４とベゼル３４５との関係が示されている。図１から図８の要素と共通の要素には同じ参照番号を付して重複する説明を省く。
【００６４】
上記構成において、図８に示すようにセンサホルダ３５２がベゼル３４５に仮固定された状態から、保持装置がセンサホルダ３５２を図中矢印Ｒの向きに回転する。これにより、仮固定領域３５６ａ、仮固定領域３５６ｂおよび仮固定領域３５６ｃが、それぞれ対向する仮固定突起３４７ａ、仮固定突起３４７ｂおよび仮固定突起３４７ｃの先端から離間する。これにより、図９に示すように、センサホルダ３５２のベゼル３４５に対する仮固定は解除され、センサホルダ３５２は自由に移動させることができる状態になる。
【００６５】
図１０は、保持装置によるセンサホルダ３５２の吸着過程を示す図である。図１から図９の要素と共通の要素には同じ参照番号を付して重複する説明を省く。
【００６６】
図１０において、センサホルダ３５２はベゼル３４５に仮固定されている。ここで、センサホルダ３５２は、サブケース３４３に固定されるべき姿勢に対して図中の紙面内で反時計回りに回転した状態で、ベゼル３４５に仮固定されるように設計されている。
【００６７】
保持装置は、吸着部５１０、保持工具５０１、保持工具５０２および保持工具５０３を備える。吸着部５１０は負圧源に連通し、図１０の紙面に平行な吸着面を有する。これにより、吸着部５１０は、図中に一点鎖線で示すように、フレキシブル基板３５４の面領域３６４と共にセンサホルダ３５２を吸着する。
【００６８】
保持工具５０１は、センサホルダ３５２からフレキシブル基板３５４が延在する方向に位置する。保持工具５０１と保持工具５０２とは、センサホルダ３５２を挟んで互いに反対側に配される。保持工具５０２と保持工具５０３とはセンサホルダ３５２に対して同じ側に配される。保持工具５０１、保持工具５０２および保持工具５０３は、図１０の紙面に平行な方向に移動可能である。
【００６９】
吸着部５１０がセンサホルダ３５２を吸着した状態で、保持工具５０１、保持工具５０２および保持工具５０３が紙面に平行な方向に同時に移動して、センサホルダ３５２にそれぞれ当接する。この場合に、保持工具５０１、保持工具５０２および保持工具５０３は、図１０の紙面内の回転方向について、センサホルダ３５２がサブケース３４３に固定されるべき向きになるように当接する。
【００７０】
保持工具５０１が、図中の矢印Ｐ１の方向に移動して、センサホルダ３５２の側面に当接する。同様に、保持工具５０２は、図中に矢印Ｐ２の方向に移動して、センサホルダ３５２の他の側面に当接する。このとき、保持工具５０３は未だセンサホルダ３５２に当接しない。これにより、センサホルダ３５２にはサブケース３４３に固定されるべき向き、すなわち図中の時計周りに回転モーメントが働く。これにより、センサホルダ３５２がサブケース３４３に対して時計周り、すなわち図９における矢印Ｒの方向に回動して、仮固定面３５６および仮固定突起３４７による仮固定が解除される。
【００７１】
吸着部５１０は、仮固定が解除された後も、フレキシブル基板３５４の弾性に抗してセンサホルダ３５２を保持し続ける。センサホルダ３５２に対して幅狭領域３６２と幅狭領域３６６がほぼ対称に連結されているので、仮固定面３５６および仮固定突起３４７による仮固定が解除された場合に、フレキシブル基板３５４の弾性力がバランスすることにより、解除時の暴れを抑えることができる。
【００７２】
さらに、保持工具５０１、保持工具５０２および保持工具５０３がセンサホルダ３５２に近づくことにより、保持工具５０３もセンサホルダ３５２の側面に当接する。これにより、保持工具５０１、保持工具５０２および保持工具５０３によって、センサホルダ３５２が挟み持たれて、サブケース３４３に対するセンサホルダ３５２の紙面内の回転方向の向きが固定される。
【００７３】
保持工具５０１、保持工具５０２および保持工具５０３によって、センサホルダ３５２のサブケース３４３に対する紙面内の回転方向の向きが固定された状態で、吸着部５１０がセンサホルダ３５２を図１０の紙面に垂直な方向に持ち上げる。これにより、センサホルダ３５２の仮固定面３５６と、サブケース３４３の仮固定突起３４７との紙面に平行な方向の干渉を避ける。これにより、保持装置を用いてセンサホルダ３５２を自由に移動させて、測光センサ３５１を位置合わせできる。
【００７４】
測光センサ３５１は、例えば次のような手順で位置合わせされる。カメラボディ３００を固定した状態で、ディスプレイに表示されたテストチャートが、測光光学系３５３を介して測光センサ３５１により測光される。このとき、測光センサ３５１の出力がモニタされて、出力値が適正になるセンサホルダ３５２の位置が決定される。
【００７５】
上記の通りサブケース３４３に対して位置合わせされたセンサホルダ３５２は、その位置においてサブケース３４３に固定される。この場合に、センサホルダ３５２の固定爪３５９とサブケース３４３との間に紫外線硬化性樹脂が充填され、更に、紫外線レーザが照射されて当該紫外線硬化性樹脂が硬化されることにより、センサホルダ３５２がサブケース３４３に固定される。
【００７６】
以上、本実施形態によれば、保持装置が保持する前のセンサホルダ３５２は、仮固定突起３４７により規定された特定の位置に仮固定されている。よって、保持装置はセンサホルダ３５２を確実に保持することができる。
【００７７】
さらに、仮固定突起３４７ａは、図１０においてフレキシブル基板３５４がセンサホルダ３５２から延在する方向と反対側に配される。これにより、仮固定突起３４７は、フレキシブル基板３５４の弾性に抗して、より確実にセンサホルダ３５２の係止を維持することができる。
【００７８】
保持工具５０１、保持工具５０２および保持工具５０３はいずれも、センサホルダ３５２における図１０の紙面に垂直な方向に高い側面に当接する。これにより、保持工具５０１、５０２、５０３による押圧力が、センサホルダ３５２に確実に作用する。
【００７９】
さらに、仮固定を解除するのにセンサホルダ３５２を移動させる方向と、吸着部５１０がセンサホルダ３５２を吸着させる方向とが直交している。従って、仮固定を解除するのに用いる力の大きさと、センサホルダ３５２を吸着させるのに用いる力の大きさとを個別に設定することができる。
【００８０】
上記実施形態において仮固定突起３４７は３つ設けられるとともに、それに対応して仮固定面３５６も３つの領域を有している。これに代えて、仮固定突起３４７は４つ以上設けられてもよく、これに対応して仮固定面３５６も４つ以上の領域を有してもよい。または、仮固定突起３４７は２つ以下でもよく、これに対応して仮固定面３５６の領域も２つ以下でもよい。
【００８１】
上記実施形態において、仮固定面３５６は突出部３７４の外面に配されるとともに、仮固定突起３４７はベゼル３４５の内面に配されるが、これらの配される位置はこれに限られない。これに代えて、突出部３７４の外面に仮固定突起が配されるとともに、ベゼル３４５の内面に仮固定面が配されてもよい。または、仮固定面および仮固定突起の一方がセンサホルダ３５２の固定爪３５９の内面に配されるとともに、他方が、固定爪３５９の内面に対向する、サブケース３４３の外面に配されてもよい。さらに、仮固定面３５６と仮固定突起３４７との組み合わせに代えて、センサホルダ３５２をサブケース３４３に対して図１０の紙面に平行な一方向に付勢する板バネにより仮固定し、保持装置が板バネの付勢に抗してセンサホルダ３５２を保持することで仮固定を解除してもよい。
【００８２】
上記実施形態において、センサユニットの一例として一眼レフカメラ１００の測光部３５０を説明した。測光部３５０に代えてまたはこれに加えて、合焦センサ３９２等、一眼レフカメラ１００の他のセンサユニットに適用してもよい。電子機器の一例としてレンズユニット２００が交換できる一眼レフカメラ１００を用いて説明した。電子機器はこれに限られず、レンズ一体型のカメラに適用してもよいし、カメラ以外の携帯電話等であってもよい。
【００８３】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、特許請求の範囲の記載から明らかである。
【符号の説明】
【００８４】
１００  一眼レフカメラ、２００  レンズユニット、２１０  固定筒、２２０、２３０、２４０  レンズ群、２５０  レンズ側制御部、２６０  レンズ側マウント部、３００  カメラボディ、３２０  主基板、３２２  ボディ側制御部、３２４  画像処理部、３３０  背面表示部、３４０  ファインダ、３４１  メインケース、３４２  ファインダ光学系、３４３  サブケース、３４４  ペンタプリズム、３４５  ベゼル、３４６  フォーカシングスクリーン、３４７  仮固定突起、３４８  蓋部、３４９  抑え爪、３５０  測光部、３５１  測光センサ、３５２  センサホルダ、３５３  測光光学系、３５４  フレキシブル基板、３５５  拡張領域、３５６  仮固定面、３５６ａ  仮固定領域、３５６ｂ  仮固定領域、３５６ｃ  仮固定領域、３５７  光学部品、３５８ａ  段差領域、３５８ｂ  段差領域、３５８ｃ  段差領域、３５９  固定爪、３６０  ボディ側マウント部、３６２  幅狭領域、３６４  面領域、３６６  幅狭領域、３６７  取付面、３７０  撮像素子、３７２  光学フィルタ、３７３  環状面、３７４  突出部、３７５ａ  当接点、３７５ｂ  当接点、３７５ｃ  当接点、３８０  フォーカルプレンシャッタ、３９０  合焦光学系、３９２  合焦センサ、４００  ミラーユニット、４１０  メインミラー保持枠、４２０  メインミラー、４３０  メインミラー回動軸、４４０  位置決めピン、４５０  サブミラー保持枠、４６０  サブミラー、４７０  サブミラー回動軸、４８０  ストッパ、５０１、５０２、５０３  保持工具、５１０  吸着部
【図１】
2014077954.tif 000003
【図２】
2014077954.tif 000004
【図３】
2014077954.tif 000005
【図４】
2014077954.tif 000006
【図５】
2014077954.tif 000007
【図６】
2014077954.tif 000008
【図７】
2014077954.tif 000009
【図８】
2014077954.tif 000010
【図９】
2014077954.tif 000011
【図１０】
2014077954.tif 000012